(57)【特許請求の範囲】
【請求項１】
支持体と該支持体下に積層された粘着性を有する膏体とで構成された貼付体の該膏体下に剥離自在に貼着された保護体を備えたシート状の鎮痛消炎貼付剤であって、
前記貼付体には前記支持体側から前記保護体を抜去可能な保護体引抜孔を形成したことを特徴とする鎮痛消炎貼付剤。
【発明の詳細な説明】
【技術分野】
【０００１】
本発明は、一人で貼り付けることが困難な背中等への貼り付けを容易に行うことができる鎮痛消炎貼付剤に関する。
【背景技術】
【０００２】
従来、例えば背中等、一人では充分に手が届き難く目視できない部位に対して湿布剤を貼付ける場合、湿布剤の粘着面を保護する保護フィルムを全て剥がした状態で粘着面を上方に向けて掌に載せた後、患部に対して半ば強引に貼り付けていた。
【０００３】
従って、目的の患部に対して貼り付け位置がずれたり、鎮痛消炎貼付剤がよれて粘着面同士が貼着されてしまうことが多かった。また、位置ずれを修正するには湿布剤を剥がして再度同様の動作により目的の患部に貼り付ける必要があるが、湿布剤の剥離時に粘着面同士が貼着してしまう場合も多く、よほどずれていない限り再度の貼付けを断念してしまうのが現状であった。
【０００４】
このような、状況を改善するために、例えば特許文献１のような技術が開示されている。本技術によれば、端部に柄を備えたシャフトと、シャフトの先端部に配設されたローラーとが全体として略Ｔ字状に形成された湿布貼り器であり、シャフトの中途部でローラーの面方向に略直角に曲げられ、ローラー近傍には湿布剤の端部を仮止め可能に構成することで、手が届き難い背中等の患部にローラーを当てがいながらローラーを回転させつつ湿布剤を目的の患部に貼り付けるものである。
【０００５】
また、器具を使用せずに湿布剤を目的の患部に貼り付ける技術が、例えば特許文献２に開示されている。本技術によれば、伸縮素材のシート上に背中の位置を明示した湿布剤を保護フィルムを剥がした状態で粘着面を上方にして床面上に載置し、次いで湿布材の横に自身の身体を横臥位にし、そのまま湿布剤に向けて背臥位にすることで、手が届き難い背中の患部に湿布剤を貼り付けるものである。
【先行技術文献】
【特許文献】
【０００６】
【特許文献１】特開２０１３−８５９３８号公報
【特許文献２】実用新案登録第３１６６０１６号公報
【発明の概要】
【発明が解決しようとする課題】
【０００７】
確かに、特許文献１に開示された技術によれば、一人では充分に手が届き難く目視できない部位に対して湿布剤を貼り付けることができるため一定の効果があった。
【０００８】
しかし、湿布剤を貼るために都度、湿布貼り器を準備しなければならず、外出先等では湿布貼り器を携帯していなければならないため非常に煩雑であった。
【０００９】
また、特許文献２に開示された技術によれば、背中全体に対して湿布剤を貼り付けたい場合には、少々のずれが生じても問題はなく、一定の効果があった。
【００１０】
しかし、床面に載置した鎮痛消炎貼付剤に対して自身の身体を当てがうため、結局は目測により身体と鎮痛消炎貼付剤との位置関係を決めるため、慣れるまでには相当の時間を要すると共に、背中の一部にのみ貼り付けたい場合でも背中全体に湿布剤が貼られ、材料の無駄が生じていた。
【００１１】
本発明は、以上のような事情に鑑みてなされたものであり、一人で貼り付けることが困難な背中等への貼り付けを容易に行うことができる鎮痛消炎貼付剤を提供することにある。
【課題を解決するための手段】
【００１２】
以上のような目的を達成するために、本発明は以下のようなものを提供する。
【００１３】
請求項１に係る発明では、支持体と該支持体下に積層された粘着性を有する膏体とで構成された貼付体の該膏体下に剥離自在に貼着された保護体を備えたシート状の鎮痛消炎貼付剤であって、前記貼付体には前記支持体側から前記保護体を抜去可能な剥離体引抜孔を形成したことを特徴とする鎮痛消炎貼付剤を提供せんとする。
【発明の効果】
【００２０】
請求項１記載の発明によれば、支持体と膏体とで構成された貼付体に、膏体に貼着する保護体を支持体側から抜去可能な保護体引抜孔を形成したことで、鎮痛消炎貼付剤を目的の患部に貼り付けた後に保護体を保護体引抜孔から引抜いて除去することができるため、一人で貼付けることが困難な背中等への鎮痛消炎貼付剤の貼付けを容易に行うことができる。
【図面の簡単な説明】
【００３０】
【図１】（ａ）は本発明の一実施形態に係る鎮痛消炎貼付剤の平面図で、（ｂ）は正面図で、（ｃ）は（ａ）のＡ−Ａ線断面図である。
【図２】（ａ）は本発明の一実施形態に係る鎮痛消炎貼付剤を患部に貼り付けた状態を示す斜視図で、（ｂ）は保護体を若干だけ引き出した状態を示す斜視図である。
【図３】（ａ）は本発明の一実施形態に係る鎮痛消炎貼付剤の平面図で、（ｂ）は（ａ）のＢ−Ｂ線断面図である。
【図４】（ａ）は本発明の一実施形態に係る鎮痛消炎貼付剤の平面図で、（ｂ）は（ａ）のＣ−Ｃ線断面図である。
【図５】（ａ）は本発明の一実施形態に係る鎮痛消炎貼付剤の平面図で、（ｂ）は（ａ）のＤ−Ｄ線断面図である。
【図６】（ａ）は鎮痛消炎貼付剤を患部に貼り付ける前に保護体を若干だけ引き出した状態を示す斜視図で、（ｂ）は（ａ）の正面図である。
【図７】（ａ）は膏体周縁部の保護体を露出させた鎮痛消炎貼付剤を患部に貼り付けた状態を示す斜視図で、（ｂ）は保護体を全て引き抜いた状態を示す図である。
【図８】鎮痛消炎貼付剤から保護体を引き抜く状態を示す斜視図である。
【図９】（ａ）は本発明の第一変形例に係る鎮痛消炎貼付剤の平面図で、（ｂ）は（ａ）のＥ−Ｅ線断面図で、（ｃ）は副保護部を除去した図で、（ｄ）は底面図である。
【図１０】（ａ）は本発明の第二変形例に係る鎮痛消炎貼付剤を患部に貼り付けた状態を示す斜視図で、（ｂ）は保護体を引き抜く状態を示す斜視図である。
【発明を実施するための形態】
【００３１】
本発明の要旨は、支持体と該支持体下に積層された粘着性を有する膏体とで構成された貼付体の該膏体下に剥離自在に貼着された保護体を備えたシート状の鎮痛消炎貼付剤であって、貼付体には支持体側から保護体を抜去可能な保護体引抜孔を形成したことを特徴とする。すなわち、鎮痛消炎貼付剤を目的の患部に貼り付けた後に保護体を保護体引抜孔から引抜いて除去することができるため、一人で貼付けることが困難な背中等に容易に貼り付けることができる鎮痛消炎貼付剤の提供を図ろうとするものである。
【００３２】
以下、本発明に係る鎮痛消炎貼付剤の一実施形態と変形例について図面を参照しながら説明する。また、本説明中において左右同一又は左右対称の構造や部材等については、原則として同一の符号を付し、左右何れか一方のみを説明して、他方については説明を適宜省略する。
[一実施形態]
【００３３】
本発明に係る鎮痛消炎貼付剤１は、図１（ａ）、（ｂ）に示すように、支持体２と該支持体２下に積層された粘着性を有する膏体３とで構成された貼付体４の該膏体３下に剥離自在に貼着された保護体５を備えたシート状の鎮痛消炎貼付剤１であって、貼付体４には支持体２側から保護体５を抜去可能な保護体引抜孔６を形成している。
【００３４】
従って、図２（ａ）（ｂ）に示すように、鎮痛消炎貼付剤１を目的の患部１１０に貼り付けた後に保護体５を保護体引抜孔６から引抜いて除去することができるため、一人で貼り付けることが困難な背中等への鎮痛消炎貼付剤１の貼り付けを貼付体４がよれることなく容易に行うことができる。
【００３５】
具体的には、支持体２は矩形シート状の不織布で形成されており、支持体２の下に積層された膏体３は支持体２と同様の外形をなす矩形シート状に形成され、粘着性を有している。なお、支持体２の材料は、不織布以外にニットやプラスチックフィルム等が用いられる。
【００３６】
ここで、鎮痛消炎貼付剤は、膏体の基剤構成成分として水溶性分子を主要成分としたパップ剤と、親油性高分子を主要成分としたテープ剤とに大別される。パップ剤は水分の配合量が多いため膏体も厚く、テープ剤に比して湿布効果が高い。また、テープ剤はパップ剤よりも薄く形成できるので可動部位への貼付に適している。
【００３７】
膏体は各種効能に応じた薬効成分が含有されており、鎮痛消炎貼付剤の主要部分となる。また、薬効成分によって刺激型と経皮吸収型の鎮痛消炎貼付剤に分類されるが、いずれの場合も温感タイプと冷感タイプが存在すると共に、パップ剤とテープ剤も存在する。
【００３８】
本実施形態に係る鎮痛消炎貼付剤１は、上述した何れの型やタイプ等も包含して適用可能なものである。
【００３９】
貼付体４は支持体２と膏体３とで構成されており、膏体３の粘着性により患部１１０に貼付けることができる。また、貼付体４の略中央部には保護体引抜孔６が形成されており、保護体引抜孔６は支持体２から膏体３まで貫通する切込み７によって形成されている。
【００４０】
なお、保護体引抜孔６の形状は、例えば図３に示すように切込み７を十字状に形成してもよく、図４に示すように小孔８を穿設してもよく、また、図５に示すように小孔８と切込み７を一緒に形成してもよい。
【００４１】
また、保護体引抜孔６の位置は、貼付体４の略中央部であることが望ましいが、貼付部位の形状や製造上の理由等から、如何なる部分に形成しても本発明の要旨の範囲内である。
【００４２】
保護体５は、図１（ｃ）に示すように、膏体３の粘着面９に貼着され、貼付体４と同様の外形をなす矩形フィルム状のポリプロピレンで形成されている。なお、保護体５の材料は、ポリプロピレン以外にポリエチレンやポリエステル、セロファン、薄紙等が用いられる。
【００４３】
また、保護体５は膏体３の粘着面９に貼着されるため、通常は、保護体５の貼着面１０は平滑であることが望まれるが、本実施形態に係る鎮痛消炎貼付剤１で用いられる保護体５は、梱包や輸送、携帯時等、使用前においては簡単に剥がれず、使用時に容易に剥がすことができるように、図１（ｃ）に示すように、保護体５の貼着面１０に複数の凸部１１を形成している。
【００４４】
このように形成することで、膏体３の粘着面９と保護体５の貼着面１０との接触面積が低減されるので、膏体３に対する保護体５の貼着力が低下し、保護体５を保護体引抜孔６から容易に引抜いて除去することが容易となる。
【００４５】
本実施形態に係る鎮痛消炎貼付剤１の具体的な使用方法は、図６（ａ）、（ｂ）に示すように、準備として保護体引抜孔６に手指１００（親指と人差し指が望ましい）を挿入し、保護体５を摘んで１〜２ｃｍ程度引上げ、保護体引抜孔６から保護体５を突出させておく。
【００４６】
これにより、保護体５が保護体引抜孔６の方向に移動するため膏体３の周縁部１２に位置していた保護体５が存在しなくなる。従って、粘着面９が露出した膏体３の周縁部１２を用いて患部近傍に鎮痛消炎貼付剤１を貼付けることが可能となる。しかも、膏体３の粘着面９が周縁部１２のみ露出しているため、患部への貼付時に鎮痛消炎貼付剤１がよれ難く、更に、ここで万一、患部１１０への貼付に失敗しても、粘着面９同士の貼着を修正しやすいため取扱いが容易である。
【００４７】
なお、中央部に移動した保護体５は、膏体３の粘着面９との貼着力が弱くなっているため、掌で保護体５を膏体側に軽く押し付けておくことが望ましい。
【００４８】
次に、図７（ａ）に示すように鎮痛消炎貼付剤１を貼付目標とする患部１１０へ貼付ける。そして、図７（ｂ）に示すように保護体引抜孔６から突出した保護体５を一方の手指１００で摘んで保護体５全体をゆっくりと引抜く。最後に貼付体４全体を患部１１０に押し付けるように手指１００や掌で押さえ、膏体３の粘着面９全体が患部に密着するように貼付ける。なお、保護体５を引抜く際には、他方の手で支持体２の外周部近傍を軽く押さえながら行うことが望ましい。
【００４９】
なお、図８に示すように、保護体引抜孔６の切込み７を十字状に形成していれば、保護体５の引抜をよりスムーズに行うことができる。
【００５０】
本実施形態に係る鎮痛消炎貼付剤１は以上のように構成され、使用されるため、一人で貼付けることが困難な背中等への鎮痛消炎貼付剤１の貼付けを鎮痛消炎貼付剤１がよれることなく容易に行うことができる。
【００５１】
また、一般的な鎮痛消炎貼付剤と比較しても、構造として貼付体４に保護体引抜孔６の切込み７を形成するだけでよいため、製造原価も低廉に抑えられコスト的に有利である。
【００５２】
[第一変形例]
次に、鎮痛消炎貼付剤１についての第一変形例について説明する。なお、第一変形例に係る鎮痛消炎貼付剤３０は上述した本実施形態に係る鎮痛消炎貼付剤１の保護体５の形状のみが異なるものであるため、共通する部分については同一の符号を付すと共に、説明を適宜省略する。
【００５３】
第一変形例に係る鎮痛消炎貼付剤３０の保護体５は、図９に示すように、膏体３の周縁部１２と貼着する副保護部３１と、膏体３の周縁部１２以外と貼着する主保護部３２と、で構成している。なお、主保護部３２と副保護部３１とは完全に分離して構成しているが、互いの境界部分に破線状の切れ目を設けて一体として構成してもよい。
【００５４】
主保護部３２は貼付体４の外形よりも若干だけ小さい矩形フィルム状に形成され、副保護部３１は貼付体４の外形と略同一で、主保護部３２を囲繞するロ字状に形成されている。
【００５５】
保護体５をこのように形成することで、患部への貼付時に予め副保護部３１を膏体３から剥がしておけば、粘着面９が露出した膏体３の周縁部１２を用いて患部近傍に鎮痛消炎貼付剤３０を貼付けることが可能となる。
【００５６】
従って、上述したように鎮痛消炎貼付剤１を患部に貼り付ける前に保護体５を保護体引抜孔６から若干だけ突出させるように引上げておく必要がない。
【００５７】
第一変形例に係る鎮痛消炎貼付剤３０は、副保護部３１を剥がし、目的の患部１１０へ貼り付けた後、保護体引抜孔６に手指１００を挿入し、主保護部３２を摘んで主保護部３２全体をゆっくりと引抜く。最後に貼付体４全体を患部１１０に押し付けるように手指１００や掌で押さえ、膏体３の粘着面９全体が患部１１０に密着するように貼付けるだけでよい。
【００５８】
[第二変形例]
次に、鎮痛消炎貼付剤１についての第二変形例について説明する。なお、第二変形例に係る鎮痛消炎貼付剤４０は上述した本実施形態に係る鎮痛消炎貼付剤１の保護体５の構成のみが異なるものであるため、共通する部分については同一の符号を付すと共に、説明を適宜省略する。
【００５９】
第二変形例に係る鎮痛消炎貼付剤４０の保護体５は、図１０（ａ）に示すように、貼付体４に形成された保護体引抜孔６の直下において保護体引抜紐４１と連結している。すなわち、保護体５の貼着面１０、若しくはその裏面において植設された保護体引抜紐４１は、保護体引抜孔６から貫通して支持体２側から外部に露出するように構成している。
【００６０】
また、保護体引抜紐４１は可撓性を有する紐状や帯状であって、外部に露出している長さが略１０ｃｍとなるように形成している。保護体引抜紐４１と保護体５との接続は、例えば、保護体引抜紐４１を保護体５の貼着面１０側からその裏面に１〜２ｃｍ程度貫通させ、貫通した保護体引抜紐４１と保護体５とをセロファンテープ（図示せず）等で一体に貼り付けることで接続される。
【００６１】
このように構成された、第二変形例に係る鎮痛消炎貼付剤４０は、図１０（ｂ）に示すように、保護体５を外部に引き抜く際に、保護体引抜紐４１を引っ張ればよいので、保護体引抜孔６へ手指１００を挿入して保護体５を摘む手間を省略できる。
【００６２】
また、保護体５の形状を第一変形例に係る保護体５の形状とすれば、副保護部３１を除去して目的の患部へ貼り付ければ、後は保護体引抜紐４１をゆっくりと引っ張るだけで、保護体５が保護体引抜孔６から引き抜かれるため、作業を簡略化されることができる。
【００６３】
以上説明したように本一実施形態、及び本変形例に係る鎮痛消炎貼付剤１，３０，４０は構成されている。
【００６４】
このように、支持体２と膏体３とで構成された貼付体４に、膏体３に貼着する保護体５を支持体２側から抜去可能な保護体引抜孔６を形成することで、鎮痛消炎貼付剤１，３０，４０を目的の患部１１０に貼り付けた後に保護体５を保護体引抜孔６から引抜いて除去することができるため、一人で貼付けることが困難な背中等への鎮痛消炎貼付剤１，３０，４０の貼付けを容易に行うことができる。
【００６５】
また、保護体引抜孔６を切込み７により形成することで、貼付体４に保護体引抜孔６の切込み７を形成するだけで保護体５を保護体引抜孔６から引抜いて除去することができるため、構造がシンプルとなり製造原価を低廉に抑えられコスト的に有利である。
【００６６】
また、保護体引抜孔６を小孔８を穿設して形成することで、貼付体４に保護体引抜孔６を穿設するだけで保護体５を保護体引抜孔６から引抜いて除去することができるため、構造がシンプルとなり製造原価を低廉に抑えられコスト的に有利である。
【００６７】
また、保護体引抜孔６を貼付体４の略中央部に形成することで、保護体５を引き抜く際に保護体５を満遍なく保護体引抜孔６に向けて集めることができるため、偏ることなくスムーズに保護体５を引き抜くことができる。
【００６８】
また、保護体５を若干だけ引き抜けば、膏体３の周縁部１２の粘着面９のみを略均等に露出させることができるため、粘着面９を全て露出させることなく鎮痛消炎貼付剤１，４０を目的の患部１１０に貼り付けることができる。
【００６９】
また、膏体３の粘着面９の全面的な保護と膏体３の周縁部１２の粘着面９のみの露出といった異なる機能を１枚の保護体５で兼用できるので、製造コストを低廉に抑えることができる。
【００７０】
また、保護体５には膏体３との貼着面１０に複数の凸部１１を形成することで、粘着面９との接触面積を狭くできるため、保護体５と膏体３との密着力を任意に弱く調整できると共に、保護体引抜孔６からの保護体５の引抜を容易に行うことができる。
【００７１】
また、保護体５は膏体３の周縁部１２と貼着する副保護部３１と膏体３の周縁部１２以外と貼着する主保護部３２とで構成することで、副保護部３１を剥離すれば膏体３の周縁部１２の粘着面９のみを露出させることができるため、粘着面９を全て露出させることなく鎮痛消炎貼付剤３０を目的の患部１１０に貼り付けることができる。
【００７２】
また、保護体５は保護体引抜孔６から支持体２側に挿通する保護体引抜紐４１を備えることで、鎮痛消炎貼付剤４０を目的の患部１１０に貼り付けた後、保護体引抜紐４１を引っ張るだけで保護体５を保護体引抜孔６から引抜いて容易に除去することができる。
【００７３】
更に、手が届きにくい背中等であっても、所定長さの保護体引抜紐４１には容易に手が届いて把持することができるため、一人で鎮痛消炎貼付剤４０を貼り付けることができる。
【００７４】
以上、本発明の好ましい一実施形態と変形例について説明したが、本発明は係る特定の実施形態や変形例に限定されるものではなく、特許請求の範囲に記載された本発明の要旨の範囲内において、種々の変形・変更が可能である。
【符号の説明】
【００７５】
１  鎮痛消炎貼付剤
２  支持体
３  膏体
４  貼付体
５  保護体
６  保護体引抜孔
７  切込み
８  小孔
１０  貼着面
１１  凸部
１２  膏体の周縁部
３０  鎮痛消炎貼付剤（第一変形例）
３１  副保護部
３２  主保護部
４０  鎮痛消炎貼付剤（第二変形例）
４１  保護体引抜紐
【図１】
0005860097.tif 000002
【図２】
0005860097.tif 000003
【図３】
0005860097.tif 000004
【図４】
0005860097.tif 000005
【図５】
0005860097.tif 000006
【図６】
0005860097.tif 000007
【図７】
0005860097.tif 000008
【図８】
0005860097.tif 000009
【図９】
0005860097.tif 000010
【図１０】
0005860097.tif 000011